(57)【要約】【課題】小型・軽量で信頼性が高く、小設置スペースで、環境適合性のよいスイッチギヤシステムを提供する。【解決手段】電力系統からの特別高電圧の電源を受電する特別高圧スイッチギヤと、特別高電圧の電源が高圧側に接続される変圧器と、変圧器の低圧側に生起する高電圧の電源が接続される高圧スイッチギヤとを備えるスイッチギヤシステムにおいて、特別高圧スイッチギヤは、接地金属板でそれぞれ区画された筺体と、開閉器区画部内に設置された遮断断路機能を有する真空２点３位置型の開閉スイッチと、母線区画部に設置された主母線と、開閉スイッチと接続されケーブル区画部内に設置されたケーブルとを備え、高圧スイッチギヤは、接地金属板により区画形成された機器室と母線室とを有する筐体と、該筐体の機器室内に、上下方向に積載配置される遮断器からなる開閉器ユニットと、筐体の母線室内に配置される固体絶縁された主母線とを備えた。【選択図】図１
2011142707.tif 000002
【特許請求の範囲】
【請求項１】
電力系統からの特別高電圧の電源を受電する特別高圧スイッチギヤと、前記特別高圧スイッチギヤを介して前記特別高電圧の電源が高圧側に接続される変圧器と、前記変圧器の低圧側に生起する高電圧の電源が接続される高圧スイッチギヤとを備えるスイッチギヤシステムにおいて、
前記特別高圧スイッチギヤは、接地金属板でそれぞれ区画された開閉器区画部、母線区画部、及びケーブル区画部を有する筺体と、前記開閉器区画部内に設置された遮断断路機能を有する真空２点３位置型の開閉スイッチと、前記母線区画部に設置された主母線と、前記開閉スイッチと接続され前記ケーブル区画部内に設置されたケーブルとを備え、
前記高圧スイッチギヤは、接地金属板により正面側に区画形成された機器室と背面側に区画形成された母線室とを有する筐体と、該筐体の機器室内に、上下方向に積載配置される遮断器からなる開閉器ユニットと、前記筐体の母線室内に、前記筺体の幅方向に配置される固体絶縁された主母線とを備えた
ことを特徴とするスイッチギヤシステム。
【請求項２】
請求項１記載のスイッチギヤシステムにおいて、
前記特別高圧スイッチギヤの主母線と前記高圧スイッチギヤの主母線には、導体を固体絶縁物で覆い、その固体絶縁物の表面を接地電位とした固体絶縁母線を用いた
ことを特徴とするスイッチギヤシステム。
【請求項３】
請求項２記載のスイッチギヤシステムにおいて、
前記固体絶縁母線の固体絶縁物としてシリコーンゴムを用いた
ことを特徴とするスイッチギヤシステム。
【請求項４】
請求項１乃至３のいずれか１項に記載のスイッチギヤシステムにおいて、
前記高圧スイッチギヤの機器室を防塵仕様にした
ことを特徴とするスイッチギヤシステム。
【請求項５】
請求項２乃至４のいずれか１項に記載のスイッチギヤシステムにおいて、
前記特別高圧スイッチギヤの主母線に用いた前記固体絶縁母線の単位長さと前記高圧スイッチギヤの主母線に用いた前記固体絶縁母線の単位長さとが同一である
ことを特徴とするスイッチギヤシステム。
【発明の詳細な説明】
【技術分野】
【０００１】
本発明は、特別高圧スイッチギヤと高圧スイッチギヤとを備えたスイッチギヤシステムに係り、さらに詳しくは、小型・軽量で環境適合性のよいスイッチギヤシステムに関する。
【背景技術】
【０００２】
電力系統から特別高電圧の電源を特別高圧スイッチギヤで受電し、所内変圧器で降圧した高電圧電源を高圧スイッチギヤで各負荷に配電する受変配電設備のスイッチギヤシステムにおいて、特別高圧スイッチギヤは、絶縁ガスとしてＳＦ６ガスを使用することにより絶縁距離の縮小化と設置スペースの縮小化とが図られてきた（例えば、特許文献１参照。）。また、高圧スイッチギヤにおいては、気中絶縁盤もしくはＳＦ６ガスを絶縁媒体に用いた盤が多く使用されてきている。
【先行技術文献】
【特許文献】
【０００３】
【特許文献１】特開平７−１６３０２４号公報
【発明の概要】
【発明が解決しようとする課題】
【０００４】
特別高圧スイッチギヤ及び高圧スイッチギヤに用いられるＳＦ６ガスは、化学的に極めて安定している反面、大気中での赤外線吸収量が大きく、温暖化係数ＧＷＰが２３９００と極めて大きいため、装置の外部に放出された場合の環境への影響が懸念されている。このため、ＳＦ６ガスを使用しない特別高圧スイッチギヤとして、収納した真空遮断器の絶縁ガスとして乾燥空気を用いた開閉装置等が提案されている。
【０００５】
また、高圧スイッチギヤにおいても、ＳＦ６ガスを使用しないものが同様に要求され、さらに、特別高圧スイッチギヤと高圧スイッチギヤとを備えたスイッチギヤシステム全体として設置スペースを小さくしたものが要求されている。
【０００６】
本発明は、上述の事項に基づいてなされたもので、その目的は、小型・軽量で信頼性が高く、小設置スペースで、環境適合性のよいスイッチギヤシステムを提供することにある。
【課題を解決するための手段】
【０００７】
上記の目的を達成するために、第１の発明は、電力系統からの特別高電圧の電源を受電する特別高圧スイッチギヤと、前記特別高圧スイッチギヤを介して前記特別高電圧の電源が高圧側に接続される変圧器と、前記変圧器の低圧側に生起する高電圧の電源が接続される高圧スイッチギヤとを備えるスイッチギヤシステムにおいて、前記特別高圧スイッチギヤは、接地金属板でそれぞれ区画された開閉器区画部、母線区画部、及びケーブル区画部を有する筺体と、前記開閉器区画部内に設置された遮断断路機能を有する真空２点３位置型の開閉スイッチと、前記母線区画部に設置された主母線と、前記開閉スイッチと接続され前記ケーブル区画部内に設置されたケーブルとを備え、前記高圧スイッチギヤは、接地金属板により正面側に区画形成された機器室と背面側に区画形成された母線室とを有する筐体と、該筐体の機器室内に、上下方向に積載配置される遮断器からなる開閉器ユニットと、前記筐体の母線室内に、前記筺体の幅方向に配置される固体絶縁された主母線とを備えたものとする。
【０００８】
また、第２の発明は、第１の発明において、前記特別高圧スイッチギヤの主母線と前記高圧スイッチギヤの主母線には、導体を固体絶縁物で覆い、その固体絶縁物の表面を接地電位とした固体絶縁母線を用いたことを特徴とする。
【０００９】
更に、第３の発明は、第２の発明において、前記固体絶縁母線の固体絶縁物としてシリコーンゴムを用いたことを特徴とする。
【００１０】
また、第４の発明は、第１乃至第３の発明のいずれかにおいて、前記高圧スイッチギヤの機器室を防塵仕様にしたことを特徴とする。
【００１１】
更に、第５の発明は、第２乃至第４の発明のいずれかにおいて、前記特別高圧スイッチギヤの主母線に用いた前記固体絶縁母線の単位長さと前記高圧スイッチギヤの主母線に用いた前記固体絶縁母線の単位長さとが同一であることを特徴とする。
【発明の効果】
【００１２】
本発明によれば、絶縁ガスとしてのＳＦ６ガスを使用せず、固体絶縁母線を特別高圧スイッチギヤ及び高圧スイッチギヤの両方に適用したので、小型・軽量で信頼性が高く、小設置スペースで、環境適合性のよいスイッチギヤシステムを提供することができる。
【図面の簡単な説明】
【００１３】
【図１】本発明のスイッチギヤシステムの一実施の形態の構成を示す概略単線図である。
【図２】本発明のスイッチギヤシステムの一実施の形態を構成する特別高圧スイッチギヤを示す縦断側面図である。
【図３】本発明のスイッチギヤシステムの一実施の形態を構成する特別高圧スイッチギヤを示す斜視図である。
【図４】本発明のスイッチギヤシステムの一実施の形態を構成する特別高圧スイッチギヤを示す平面図である。
【図５】本発明のスイッチギヤシステムの一実施の形態を構成する高圧スイッチギヤを示す縦断側面図である。
【図６】図５に示す高圧スイッチギヤの構成を示す単線接続図である。
【図７】本発明のスイッチギヤシステムの一実施の形態を構成する高圧スイッチギヤを示す裏面図である。
【図８】本発明のスイッチギヤシステムの一実施の形態を構成する高圧スイッチギヤの開閉ユニットを示す縦断側面図である。
【発明を実施するための形態】
【００１４】
以下に、本発明のスイッチギヤシステムの実施の形態を図面を用いて説明する。図１は本発明のスイッチギヤシステムの一実施の形態の構成を示す単線図である。  図１において、本発明のスイッチギヤシステムの一実施の形態は、電力系統からの特別高電圧の電源を電力線１を介して受電する列盤からなる特別高圧スイッチギヤ２と、特別高圧スイッチギヤ２を構成する３つの遮断器を介して特別高電圧の電源が高圧側に接続される３つの変圧器３と、変圧器３の低圧側の高電圧の電源が接続される列盤からなる高圧スイッチギヤ４とから大略構成されている。列盤からなる高圧スイッチギヤ４は、各盤に設けられた遮断器や断路器とケーブルヘッドに接続された電力ケーブルを介して各負荷へ高電圧の電源を供給している。
【００１５】
本実施の形態において、特別高圧スイッチギヤには、定格電圧が２４ｋＶの真空絶縁スイッチギヤを使用し、高圧スイッチギヤには、定格電圧が７．２ｋＶの固体絶縁母線スイッチギヤを使用している。また、図１の一点鎖線で囲繞した特別高圧スイッチギヤ２の内部と高圧スイッチギヤ４の内部とにそれぞれ配置している母線を構成する部材は、母線の外部を固体絶縁物で絶縁して接地電位とした同一仕様の固体絶縁母線を使用している。
【００１６】
次に、本発明のスイッチギヤシステムの一実施の形態を構成する特別高圧スイッチギヤ２を図２乃至図４を用いて説明する。  
図２は本発明のスイッチギヤシステムの一実施の形態を構成する特別高圧スイッチギヤを示す縦断側面図、図３は本発明のスイッチギヤシステムの一実施の形態を構成する特別高圧スイッチギヤを示す斜視図、図４は本発明のスイッチギヤシステムの一実施の形態を構成する特別高圧スイッチギヤを示す平面図である。図２乃至図４において、図１に示す符号と同符号のものは同一部分であるので、その詳細な説明は省略する。
【００１７】
図２乃至図４において、特別高圧スイッチギヤの筐体２１は、内部に配置された接地金属板２２ａ，２２ｂ，２２ｃ，２２ｄにより母線区画部２１ａ、開閉器区画部２１ｂ、ケーブル区画部２１ｃ、及び制御区画部２１ｄにそれぞれ区画されている。また、筐体２１の前面側（図２の右側）には、片開き可能な正面扉２１ｅが、筐体２１の背面側（図２の左側）には、取り外し可能なパネル２１ｆがそれぞれ設けられている。
【００１８】
母線区画部２１ａは、筐体２１の奥行き方向（図２の左右方向）中央部寄りで上部側に配置され、開閉器区画部２１ｂは、母線区画部２１ａの下方に、ケーブル区画部２１ｃは筐体２１の背面側（図２の左側）にそれぞれ配置されている。また、制御区画部２１ｄは正面扉２１ｅの背面上側に配置され、母線区画部２１ａに対向する位置にある。
【００１９】
母線区画部２１ａ内には、３相の固体絶縁された母線２３が接続部材としての接続アダプタ２４を介して筐体２１の前面と平行（図２において、紙面と直交する方向）に配置されている。母線２３は、銅の導体を例えばシリコーンゴム等の固体絶縁物で覆い、その表面に導電塗料を塗布するとともに、接地電位としている。このような絶縁によりガスレス化されており、ガス管理が不要となることから取り扱い性が良くなると共に、母線区画部２１ａ内に粉塵や異物の混入があっても、絶縁性能が維持されるので安全性が確保されている。
【００２０】
接続アダプタ２４は、当該盤の両隣に他の盤が配置されている場合には、両隣の盤から延伸される母線２３，２３の一端を水平方向の開口部で接続するＴ字型の接続アダプタ２４が用いられ、当該盤の片側にのみ他の盤が配置されている場合には、他の盤から延伸される母線２３の一端を水平方向の開口部で接続する逆Ｌ字型の接続アダプタ２４が用いられている。接続アダプタ２４の下部内部には円錐状の窪みが形成され、開閉器区画部２１ｂの接続ブッシングを嵌挿することによって、開閉器等と電気的に接離可能となる。
【００２１】
開閉器区画部２１ｂには、この例では真空２点切り３位置型開閉器（真空２点切り３位置型遮断断路器）２５、真空接地開閉器２６、を備えた開閉スイッチ２７及び操作装置２８が配置されている。
【００２２】
ケーブル区画部２１ｃには、上記真空２点切り３位置型開閉器（真空２点切り３位置型遮断断路器）２５の固定接点に接続し、ケーブル区画部２１ｃ内に導入されたケーブル接続用端子２２０ａと、このケーブル接続用端子２２０ａに回転可能に設けたＴ型ケーブルヘッド２２０と、このＴ型ケーブルヘッド２２０を回転することによって上部又は下部に配置され、ケーブル接続用端子２２０ａに接続されるケーブル２９と、ケーブル接続用端子２２０ａの外周に設けられた系統保護用の変流器２１０とが配設されている。本実施の形態において、ケーブル２９は、筐体２１の下部からケーブル区画部２１ｃに導入されている。
【００２３】
制御区画部２１ｄには、コンデンサ２１ｄａと保護リレー２１ｄａｂからなる制御部が、正面側の扉２１ｅの背面側に設置されている。
【００２４】
上述した開閉器区画部２１ｂ内に配置された真空２点切り３位置型開閉器（真空２点切り３位置型遮断断路器）２５、真空接地開閉器２６は、エポキシ樹脂によって一体的にモールドされて開閉スイッチ２７を構成している。これにより、開閉器部がユニット化され小形軽量化が図られている。上述したモールドの外表面は、塗布された導電塗料によって接地され、接触の安全性が確保されている。
【００２５】
上述した真空２点切り３位置型開閉器２５は、絶縁筒を備える真空容器と、この真空容器内にそれぞれ収納された２つの固定電極と、それらの可動電極とを備えており、２点切りを構成している。この例では、固定電極が上側に、この固定接点に接離する可動電極が下側に位置するように配置されている。
【００２６】
真空２点切り３位置型開閉器２５における一方の固定電極は、母線区画部２１ａ内に導入可能に配置した接続用ブッシング２３ａを介して母線区画部２１ａ内の母線２３に接離可能に接続されている。また、真空２点切り３位置型開閉器２５における他方の固定電極は、ケーブル区画部２１ｃ内に導入可能に配置したケーブル接続用端子２２０ａを介してケーブル区画部２１ｃ内のケーブル２９のＴ型ケーブルヘッド２２０に接離可能に接続されている。
【００２７】
一方、可動電極は、ステンレスなどの高温で焼鈍されていない金属で補強された可動導体で連結されている。この可動導体には、真空絶縁操作ロッドが連結されていて、金属ベローズを介して、真空容器外に導出され、気中絶縁操作ロッド２５８に連結されている。この気中絶縁操作ロッド２５８は、操作装置２８によって操作される操作ロッド２８１に連結している。
【００２８】
一方の可動電極と他方の可動電極は、操作ロッド２８１によって通電するための閉位置、電流を遮断するための開位置、および雷などのサージ電圧に対して点検作業者の安全を確保するための断路位置の３位置に停止する。ここで、断路時における断路ギャプを、遮断ギャップの約２倍に当たる極間距離を持つように設定している。このように、断路時における断路ギャップを、遮断ギャップの約２倍に設定することにより、多段形式の絶縁を可能としている。
【００２９】
図４は特別高圧スイッチギヤ２の平面図であって、特別高圧スイッチギヤ２を構成する示す３つの盤からなる列盤を示している。ここで、各盤を構成する筐体２１の幅方向（図４の左右方向）の幅は、約６００ｍｍで形成され、小型・軽量化が図られている。また、列盤構成における固体絶縁母線２３の接続は、図４の右端の盤においては、固体絶縁母線２３の一端を水平方向の開口部で接続する逆Ｌ字型の接続アダプタ２４で行われ、その他の盤においては、両隣の盤から延伸される固体絶縁母線２３の一端を水平方向の開口部で接続するＴ字型の接続アダプタ２４で行われている。なお、この固体絶縁母線２３の絶縁仕様は電圧２４ｋＶのものであって、上述したように、安全性と信頼性の向上と共に、母線の清掃等の作業も不必要としている。
【００３０】
図１に示すように、特別高圧スイッチギヤ２は、１つの受電盤と３つの送電盤とから構成されていて、送電盤の各筐体２１のケーブル区画部２１ｃからケーブル２９が３つの変圧器３に敷設されている。ケーブル２９の他端は、上述したように変圧器３の高圧側に接続されている。
【００３１】
次に、本発明のスイッチギヤシステムの一実施の形態を構成する高圧スイッチギヤ４を図５乃至図７を用いて説明する。  
図５は本発明のスイッチギヤシステムの一実施の形態を構成する高圧スイッチギヤを示す縦断側面図、図６は図５に示す高圧スイッチギヤの構成を示す単線接続図、図７は本発明のスイッチギヤシステムの一実施の形態を構成する高圧スイッチギヤを示す裏面図である。図５乃至図７において、図１乃至図４に示す符号と同符号のものは同一部分であるので、その詳細な説明は省略する。
【００３２】
図５及び図６において、高圧スイッチギヤ４における筺体４１は、接地金属板である仕切り板４２により正面側と背面側とに仕切られ、背面側（図５の左側）に母線室４５が区画形成され、正面側（図５の右側）の上下には、さらに密閉カバー４３によって中間部から下部にわたって上段と下段の２つの機器室４４，４４が区画形成されている。この密閉カバー４３の設置目的は、主に遮断器などの充電部から作業員等の感電を防止するためである。また、密閉カバー４３にパッキング等を装着することで機器室４４を防塵化できる。この結果、機器室４４の清掃の省力化を図ることも可能となる。筺体４１の前面側には、開閉可能な正面扉４１Ａが設けられ、同様に背面側には、開閉可能な背面扉４１Ｂが設けられている。また、機器室４４，４４と正面扉４１Ａの裏側との間には、制御室が区画形成されている。正面扉４１Ａには、保護制御器４１６が取り付けられている。
【００３３】
各機器室４４，４４の底部には、仕切り板４２と筺体４１の両側面内側とに外周の３辺を固定された略矩形の支持板４７，４７がそれぞれ配置されている。この支持板４７，４７の上段と下段に２つの開閉器ユニット４８Ａ，４８Ｂが、それぞれ載置されている。上段の開閉器ユニット４８Ａは、電源回路の電流遮断を行う真空遮断器（ＶＣＢ）４９Ａの遮断部４１０ａと、遮断部４１０ａの開閉操作を行う真空遮断器４９Ａの操作器４１０Ａと、真空遮断器４９Ａの電源側の端子に配置された変流器（ＣＴ）４１１と、真空遮断器４９Ａの負荷側の端子に配置された零相変流器（ＺＣＴ）４１２とから構成されている。下段の開閉器ユニット４８Ｂは、電源回路の断路を行う真空断路器（ＶＤＳ）４９Ｂの断路部４１０ｂと、断路部４１０ｂの開閉操作を行う真空断路器４９Ｂの操作器４１０Ｂと、真空断路器４９Ｂの上部に配置された計器用変圧器（ＶＴ）４１３とから構成されている。
【００３４】
２つの開閉器ユニット４８Ａ，４８Ｂは、それぞれの前面側（図５の右側）に正面カバー４３１を備えている。この正面カバー４３１には、その上下方向略中央に棒状の引出し取手４１５が取り付けられている。２つの開閉器ユニット４８Ａ，４８Ｂはそれぞれ台車４１４に搭載されている。
【００３５】
上述した開閉器ユニット４８Ａを構成する真空遮断器４９Ａ、変流器４１１、零相変流器４１２は、図６に示すように直列に接続されている。変流器４１１は、真空遮断器４９Ａの電源側に配置され、零相変流器４１２は真空遮断器４９Ａの負荷側に配置されている。一方、開閉器ユニット４８Ｂを構成する真空断路器４９Ｂ、計器用変圧器４１３は、図６に示すように並列に接続されている。
【００３６】
開閉器ユニット４８Ａの背部には、図６に示すように、真空遮断器４９Ａの固定電極側（下側）に接続する端子４１８と、真空遮断器４９Ａの可動電極側（上側）に接続する端子４１９とが配置されている。これらの端子４１８，４１９は、後述する母線室４５内の主母線４２０に接続した連絡母線４２１，補助連絡母線４２２，引出し母線４２３に気中断路用ブッシング部を介して接離可能に接続されている。
【００３７】
図５において、母線室４５内には、上段の機器室４４の背面側の位置に、３相の固体絶縁された母線４２０が接続部材としての接続アダプタ４２４を介して筐体４１の前面と平行（図５において、紙面と直交する方向）に配置されている。この主母線４２０には、接続アダプタ４２４を介して固体絶縁された連絡母線４２１の一端が接続されている。この連絡母線４２１の他端は、一方側の接続端子４２１ａと他方側の接続端子４２１ｂとに分岐されている。他方側の接続端子４２１ｂは、上段の開閉器ユニット４８Ａの上側端子４１９と接離可能なように機器室４４内に導入されている。
【００３８】
また、連絡母線４２１の下側には、固体絶縁された補助連絡母線４２２が配置されていて、接続端子４２２ａと４２２ｂを両端に設けている。上段の開閉器ユニット４８Ａの下側端子４１８と下段の開閉器ユニット４８Ｂの上側端子４１９と接離可能なように補助連絡母線４２２の接続端子４２２ａと４２２ｂがそれぞれ機器室４４内に導入されている。さらに、補助連絡母線４２２の下側には、固体絶縁された引出し母線４２３が配置されていて、その一端には、接続端子４２３ａが設けられている。この接続端子４２３ａは、上述した下側の開閉器ユニット４８Ｂの端子４１８と接離可能なように機器室４４内に導入されている。引出し母線４２３の他端は、ケーブル４２９の一端が接続されるケーブルヘッド４２８に接続されている。このケーブル４２９の他端は筺体４１の下方に引き出され、負荷に接続している。
【００３９】
主母線４２０、連絡母線４２１、補助連絡母線４２２、引出し母線４２３のそれぞれは、銅の導体を例えばシリコーンゴム等の固体絶縁物で覆い、その表面に導電塗料を塗布するとともに、接地電位としている。これらの母線は、このような絶縁によりガスレス化されており、ガス管理が不要となることから取り扱い性が良くなると共に、母線室４５内に粉塵や異物の混入があっても、絶縁性が維持されるので安全性が確保されていると共に、省メンテナンスであり、保守の省力化が図られている。
【００４０】
図７は高圧スイッチギヤ４の背面図であって、高圧スイッチギヤ４を構成する３つの盤からなる列盤と、固体絶縁された主母線４２０、連絡母線４２１、補助連絡母線４２２、引出し母線４２３と各機器室４４の背面部との接続配置状態を示している。ここで、各盤を構成する筐体４１の幅方向（図７の左右方向）の幅は、約６００ｍｍで形成され、小型・軽量化が図られている。また、列盤構成における固体絶縁母線４２０の接続は、両隣の盤から延伸される固体絶縁母線４２０の一端を水平方向の開口部で接続するＴ字型の接続アダプタ４２４で行われている。なお、この固体絶縁母線４２０の絶縁仕様は特別高圧スイッチギヤ２で仕様する固体絶縁母線と同じく電圧２４ｋＶのものであり、安全性と信頼性の向上と共に、母線の清掃等の作業も不必要としている。
【００４１】
次に、上述した本発明の固体絶縁母線スイッチギヤを構成する開閉器ユニット４８Ａの詳細を図８を用いて説明する。図８は本発明のスイッチギヤシステムの一実施の形態を構成する高圧スイッチギヤの開閉ユニットを示す縦断側面図である。図８において、図１乃至図７に示す符号と同符号のものは同一部分であるので、その詳細な説明は省略する。
【００４２】
開閉器ユニット４８Ａを構成する真空遮断器４９Ａは、４個の車輪を有する台車４１４に搭載されていて、台車４１４の前側に配置されている操作器４１０と、その後部に配置されていて３個の絶縁筒４３０からなる遮断部４１０ａとで形成されている。操作器４１０の前面には、正面カバー４３１が設けられていて、上下方向略中央には、棒状の引出し取手４１５が取り付けられている。
【００４３】
真空遮断器４９Ａの遮断部４１０ａには、例えば、上側に３個の可動電極側端子４１９と下側に３個の固定電極側端子４１８とが水平に取り付けられている。
【００４４】
フレーム４１７の上部には、３相の内の２相の可動電極側端子４１９をそれぞれ覆う変流器４１１，４１１が取り付けられていて、下部には、１個の鉄心で３相の固定電極側端子４１８を覆うレーストラック型の零相変流器４１２が取り付けられている。また、フレーム４１７の側部には、半楕円形の切り欠き４３６を上下方向に２箇所設けている。これは、真空遮断器４９Ａの外周にフレーム４１７を設けたことによる絶縁性能の低下を回避するために設けたものである。
【００４５】
上述した本発明のスイッチギヤシステムの一実施の形態によれば、絶縁ガスとしてのＳＦ６ガスを使用せず、固体絶縁母線２３，４２０を特別高圧スイッチギヤ２及び高圧スイッチギヤ４の両方に適用したので、小型・軽量で信頼性が高く、小設置スペースで、環境適合性のよいスイッチギヤシステムを提供することができる。
【００４６】
また、上述した本発明のスイッチギヤシステムの一実施の形態によれば、特別高圧スイッチギヤ２の筺体２１の幅と、高圧スイッチギヤ４の筺体４１の幅とを等しく形成したので、列盤構成した場合のそれぞれの固体絶縁母線２３，４２０の長さが等しく、絶縁仕様は２４ｋＶで統一されている。この結果、特別高圧スイッチギヤ２と、高圧スイッチギヤ４との間で、固体絶縁母線２３，４２０を共用することができる。例えば、上位回路である２４ｋＶの特別高圧スイッチギヤ２側で固体絶縁母線２３の交換が必要な非常時に、７．２ｋＶの高圧スイッチギヤ４側で優先順位の低い負荷から固体絶縁母線４２０を取り外して、２４ｋＶの特別高圧スイッチギヤ２に取り付け、運転再開することを可能としている。
【００４７】
また、同じ大きさ、同じ仕様の固体絶縁母線をスイッチギヤシステムで使用できることにより、取り付け道具等もスイッチギヤ毎に用意する必要がなくなり、取り付け作業に関しても同じ作業方法でよいことから、作業効率の向上が図れる。
【符号の説明】
【００４８】
１            電力線
２            特別高圧スイッチギヤ
２１          筺体
２２          接地金属板
２３          母線
２４          接続アダプタ
２５          真空２点切り３位置型開閉器
２７          開閉スイッチ
２８          操作装置
２９          ケーブル
３            変圧器
４            高圧スイッチギヤ
４１          筺体
４２          仕切板
４３          密閉カバー
４４          機器室
４５          母線室
４７          支持板
４８          開閉器ユニット
４９Ａ        真空遮断器
４１０        操作器
４１４        台車
４１８        固定電極側端子
４１９        可動電極側端子
４２０        主母線
４２１        連絡母線
４２２        補助連絡母線
４２３        引出し母線
【図１】
2011142707.tif 000003
【図２】
2011142707.tif 000004
【図３】
2011142707.tif 000005
【図４】
2011142707.tif 000006
【図５】
2011142707.tif 000007
【図６】
2011142707.tif 000008
【図７】
2011142707.tif 000009
【図８】
2011142707.tif 000010